(57)【特許請求の範囲】
【請求項１】
操作パネルに設けられる電子楽器のキートップスイッチであって、
前記操作パネルの裏面側に取り付けられたスイッチ基板と、
前記操作パネルに、前記スイッチ基板との間にはさみ込まれた状態で取り付けられたキートップと、を備え、
当該キートップは、前記スイッチ基板に当接する当接部と、当該当接部を前記スイッチ基板側に付勢する弾性アーム部と、を有することを特徴とする電子楽器のキートップスイッチ。
【請求項２】
操作パネルに設けられる電子楽器のキートップスイッチであって、
前記操作パネルには、裏面側に突出し、先端側に向かって狭まるテーパ状のリブが設けられており、
前記操作パネルの前記裏面側に取り付けられたスイッチ基板と、
前記操作パネルに、前記スイッチ基板との間にはさみ込まれた状態で取り付けられたキートップと、を備え、
当該キートップは、前記スイッチ基板に当接する当接部を有し、当該当接部には前記リブが嵌合する嵌合部が設けられており、当該嵌合部に嵌合した前記テーパ状のリブにより、当該リブから前記嵌合部を抜け出させようとする力が前記当接部に作用することによって、前記キートップが前記当接部を介して前記スイッチ基板に押圧されていることを特徴とする電子楽器のキートップスイッチ。
【請求項３】
前記キートップは、前記当接部を前記スイッチ基板側に付勢する弾性アーム部をさらに有することを特徴とする、請求項２に記載の電子楽器のキートップスイッチ。
【発明の詳細な説明】
【０００１】
【発明の属する技術分野】
本発明は、電子ピアノなどの電子楽器の操作パネルに各種スイッチとして設けられる電子楽器のキートップスイッチに関する。
【０００２】
【従来の技術】
図９は、スピーカ（図示せず）を搭載した電子ピアノの従来のキートップスイッチの一例を示したものであり、このキートップスイッチ５１は、例えば音色選択スイッチとして、操作パネル５２に設けられている。キートップスイッチ５１は、プリント配線板で構成されたスイッチ基板５３と、スイッチ基板５３上に支持された多数のキートップ５４と、を備えている。各キートップ５４は、合成樹脂の成形品などで構成されていて、スイッチ基板５３に取り付けられた支持部５５と、支持部５５にヒンジ５６を介して支持された本体部５７と、によって構成されており、この支持部５５の上面は、両面テープ５８で操作パネル５２の裏面に貼り付けられている。また、スイッチ基板５３の表面および本体部５７の下面には、互いに対向するように一対の接点５９、５９がそれぞれ形成されている。
【０００３】
以上のように構成されたキートップ５４の本体部５７を押し操作すると、一対の接点５９、５９が接触し、ＯＮされる。そして、そのＯＮ信号がスイッチ基板５３から制御装置（図示せず）に出力されることで、電子ピアノの音色が制御される。また、キートップ５４の支持部５５の上面が、両面テープ５８で操作パネル５２の裏面に貼り付けられていることにより、スピーカから発生する音の振動によって生じる操作パネル５２とキートップ５４との間の相対的な振動によるビリ付きを防ぎ、雑音の発生を防止するようにしている。
【０００４】
【発明が解決しようとする課題】
しかし、従来のキートップスイッチ５１では、上述したように、キートップ５４のビリ付きを防止するために、キートップ５４の支持部５５を、両面テープ５８を用いて操作パネル５２に貼り付けなければならず、そのような作業を多数のキートップ５４ごとに行う必要があるので、貼り付け作業が煩雑で、キートップスイッチ５１の製造コストが高くなってしまう。
【０００５】
本発明は、このような課題を解決するためになされたものであり、操作パネルとキートップとの間のビリ付きによる雑音を防ぐとともに、低コストで製造することができる電子楽器のキートップスイッチを提供することを目的とする。
【０００６】
【課題を解決するための手段】
この目的を達成するために、請求項１に係る発明は、操作パネルに設けられる電子楽器のキートップスイッチであって、操作パネルの裏面側に取り付けられたスイッチ基板と、操作パネルに、スイッチ基板との間にはさみ込まれた状態で取り付けられたキートップと、を備え、キートップは、スイッチ基板に当接する当接部と、当接部をスイッチ基板側に付勢する弾性アーム部と、を有することを特徴とする。
【０００７】
この電子楽器のキートップスイッチでは、キートップが、操作パネルに、裏面側のスイッチ基板との間にはさみ込まれた状態で取り付けられており、このキートップの当接部が、スイッチ基板に当接するとともに、キートップの弾性アーム部によってスイッチ基板側に付勢されている。この付勢により、キートップが当接部を介してスイッチ基板に常に押圧されるので、スピーカから発生する音の振動によってキートップが操作パネルに対して振動することがなくなる。その結果、両者間のビリ付き、およびそれによる雑音の発生を防ぐことができる。したがって、従来のキートップスイッチと異なり、雑音防止のための両面テープの貼り付け作業の省略により、操作パネルへのキートップの取り付け作業を簡素化でき、それにより、キートップスイッチの製造コストを削減することができる。
【０００８】
請求項２に係る発明は、操作パネルに設けられる電子楽器のキートップスイッチであって、操作パネルには、裏面側に突出し、先端側に向かって狭まるテーパ状のリブが設けられており、操作パネルの裏面側に取り付けられたスイッチ基板と、操作パネルに、スイッチ基板との間にはさみ込まれた状態で取り付けられたキートップと、を備え、キートップは、スイッチ基板に当接する当接部を有し、当接部にはリブが嵌合する嵌合部が設けられており、嵌合部に嵌合したテーパ状のリブにより、リブから嵌合部を抜け出させようとする力が当接部に作用することによって、キートップが当接部を介してスイッチ基板に押圧されていることを特徴とする。
【０００９】
この構成によれば、キートップが、操作パネルに、裏面側のスイッチ基板との間にはさみ込まれた状態で取り付けられており、このキートップの当接部が、スイッチ基板に当接している。また、この当接部に設けられた嵌合部には、テーパ状のリブが嵌合しており、このリブによって、リブから嵌合部を抜け出させようとする力が、当接部に作用する。この作用により、キートップが当接部を介してスイッチ基板に常に押圧されるので、スピーカから発生する音の振動によってキートップが操作パネルに対して振動することがなくなる。その結果、請求項１の場合と同様、両者間のビリ付き、およびそれによる雑音の発生を防ぐことができる。また、両面テープの貼り付け作業の省略によって、キートップスイッチの製造コストを削減することができる。
【００１０】
請求項３に係る発明は、請求項２の電子楽器のキートップスイッチにおいて、キートップは、当接部をスイッチ基板側に付勢する弾性アーム部をさらに有することを特徴とする。
【００１１】
この構成によれば、キートップの当接部は、リブからの押圧力に加えて、弾性アーム部からの付勢力が作用した状態でスイッチ基板に当接するので、操作パネルとキートップとの間のビリ付き、およびそれによる雑音の発生をより確実に防止することができる。
【００１２】
【発明の実施の形態】
以下、図面を参照しながら、本発明の好ましい実施形態を詳細に説明する。図１は、本発明の第１実施形態による電子ピアノのキートップスイッチを示している。このキートップスイッチ１は、操作パネル２に例えば音色選択スイッチとして配置されており、その操作によって音色が選択されるとともに、その選択状態を表示するものである。キートップスイッチ１は、スイッチ基板３と、操作パネル２に取り付けられた多数のキートップ４（図１には１つのみ図示）と、各キートップ４を照明するためのＬＥＤ５と、を備えている。
【００１３】
操作パネル２は、アルミニウムの押し出し材で構成され、所定の断面形状に形成されている。図２に示すように、操作パネル２の所定位置には、上下方向に貫通する多数の開口部２ａ（１つのみ図示）が左右方向に並ぶように形成されており、各開口部２ａにキートップ４の本体部８が、若干の隙間をもって嵌合し、操作パネル２の上方に若干突出している。操作パネル２の開口部２ａよりも後側（同図の右側）の所定位置には、リブ２ｂが設けられている。このリブ２ｂは、左右方向に連続して延び、裏面側に突出するとともに、所定のテーパを有しており、先端側に向かうほどその幅が狭まるように形成されている。また、リブ２ｂのすぐ後側には、左右方向に互いに平行に延びるねじ取り付け部２ｃ、２ｃが、裏面側に突出した状態で設けられている。さらに、操作パネル２の開口部２ａよりも前側には、左右方向に延びる基板支持部２ｄが、裏面側に突出した状態で設けられており、この基板支持部２ｄには、後方に開放する凹部２ｅが形成されている。
【００１４】
スイッチ基板３は、プリント配線板で構成されており、その表面には、キートップ４に対応する位置にタクトスイッチ６が設けられている。このタクトスイッチ６内には、対向する接点（図示せず）が設けられている。そして、キートップ４が押し操作されるのに伴い、これらの接点同士が接触することによって、キートップ４がＯＮ状態になり、そのＯＮ信号が制御装置（図示せず）に出力されることによって、そのキートップ４に対応する音色が選択される。また、タクトスイッチ６よりも後側の所定位置には、各キートップ４を左右方向に位置決めするための多数のキートップ位置決め孔３ａが形成されている（図３参照）。さらに、このキートップ位置決め孔３ａよりも後側には、複数の取り付け孔３ｂが、左右方向に間隔を隔てて形成されている。スイッチ基板３の上面には、キートップ４の本体部８の下方の位置に、前記ＬＥＤ５が取り付けられている。ＬＥＤ５は、制御装置に接続されており、この制御装置の制御により、押し操作されたキートップ４に対応するものが点灯することによって、音色の選択状態を表示する。
【００１５】
図４〜図６に示すように、各キートップ４は、操作パネル２の開口部２ａに嵌合する本体部８と、スイッチ基板３に当接する当接部９と、当接部９をスイッチ基板３側に付勢する一対の弾性アーム部１０、１０と、を備えている。
【００１６】
本体部８は、キートップ４の操作の際に押される上側の円柱状の操作部８ａと、ＬＥＤ５を覆う下側の筒状のカバー部８ｂと、によって構成されている。この操作部８ａは、半透明の合成樹脂、例えばアクリルで構成され、キートップ４の他の部分は、非透明の合成樹脂、例えばＡＢＳで構成されており、キートップ４は、例えば２色成形によって形成されている。また、操作部８ａの前端部には、スイッチ基板３のタクトスイッチ６に対向するように、下方に突出するアクチュエータ部８ｃが設けられている。このアクチュエータ部８ｃが、キートップ４の押し操作に伴い、タクトスイッチ６を押圧することによって作動させる。当接部９は、本体部８に左右一対のヒンジ１１、１１を介して連結されている。キートップ４は、これらのヒンジ１１、１１の弾性により、押し操作後、指を離すと、もとの位置に復帰する。また、当接部９は、その背面から突出する断面逆Ｌ字状の嵌合部９ａを有しており、この嵌合部９ａの鉛直部９ｂは、当接部９とほぼ平行に上下方向に延びている。また、当接部９の下面には、その左右方向の中心に位置決め突起部９ｃが設けられている。この位置決め突起部９ｃの左右方向の幅は、前述したキートップ位置決め孔３ａに隙間なく嵌合するような所定の大きさに設定されている。
【００１７】
さらに、当接部９の上端部には、当接部９をスイッチ基板３側に付勢する左右一対の弾性アーム部１０、１０が設けられている。各弾性アーム部１０は、当接部９の前面からほぼ水平に延びる比較的薄い水平部１０ａと、水平部１０ａの先端から上方に延びるパネル当接部１０ｂとから、断面Ｌ字状に形成されている。キートップ４の操作パネル２への取り付け前においては、パネル当接部１０ｂの上端が当接部９の上端よりも上方に位置するようになっている。
【００１８】
以上のように構成されたキートップスイッチ１は、次のようにして組み立てられる。まず、各キートップ４の当接部９の嵌合部９ａが操作パネル２のリブ２ｂに嵌合させた状態で、キートップ４の本体部８を操作パネル２の対応する開口部２ａにそれぞれはめ込む。これにより、キートップ４の前後方向の正確な位置決めと左右方向の概略の位置決めがなされる。次に、スイッチ基板３を、その前端部を操作パネル２の凹部２ｅに差し込むとともに、各キートップ４の位置決め突起部９ｃを、対応するスイッチ基板３のキートップ位置決め孔３ａに嵌合させる。その状態で、操作パネル２に対するスイッチ基板３の左右方向の取り付け位置を治具（図示せず）により決定し、ネジ１２を取り付け孔３ｂを介して、操作パネル２のねじ取り付け部２ｃ、２ｃ間にねじ込み、スイッチ基板３を固定する。これにより、多数のキートップ４を一度に左右方向の所定位置に正確に位置決めすることができる。
【００１９】
また、キートップスイッチ１を組み立てる際に、弾性アーム部１０のパネル当接部１０ｂが操作パネル２に当接することにより、その反力によって、水平部１０ａがたわみ、当接部９をスイッチ基板３側に付勢する。したがって、この付勢により、キートップ４は、その取り付け後において、常にスイッチ基板３に押圧された状態になる。同様に、キートップスイッチ１を組み立てる際に、当接部９の嵌合部９ａが操作パネル２のテーパ状のリブ２ｂにより押し広げられることによって、当接部９には、リブ２ｂから抜け出ようとする力が作用する。したがって、この作用により、キートップ４は、その取り付け後において、常にスイッチ基板３に押圧された状態になる。以上のように、キートップ４の当接部９が、弾性アーム部１０からの付勢力と、リブ２ｂからの押圧力が作用した状態で、スイッチ基板３に当接するので、スピーカ（図示せず）から発生する音の振動によってキートップ４が操作パネル２に対して振動することがなくなる。したがって、従来のキートップスイッチと異なり、雑音防止のための両面テープの貼り付け作業の省略により、操作パネル２へのキートップ４の取り付け作業を簡素化でき、それにより、キートップスイッチ１の製造コストを削減することができる。
【００２０】
図７は、本発明の第２実施形態による電子ピアノのキートップスイッチを示しており、同図に示すように、第１実施形態のキートップスイッチ１と基本的な構成は同じであり、同じ構成の部品については、同じ符号を用いて示している。このキートップスイッチ２１は、第１実施形態と比較して、操作パネル２のリブ２ｆがテーパをもたず、まっすぐに形成されている点のみが異なっている。
【００２１】
したがって、本実施形態においても、第１実施形態の場合と同様、スイッチ基板３に当接する当接部９に設けられた弾性アーム部１０による付勢によって、キートップ４が常にスイッチ基板３に押圧された状態になる。したがって、第１実施形態による上述した効果を同様に得ることができる。
【００２２】
図８は、本発明の第３実施形態による電子ピアノのキートップスイッチを示しており、同図に示すように、第１実施形態のキートップスイッチ１と基本的な構成は同じで、同じ構成の部品については、同じ符号を用いて示している。このキートップスイッチ３０は、第１実施形態と比較し、その弾性アーム部１０を省略した点のみが異なっている。
【００２３】
したがって、本実施形態においても、第１実施形態の場合と同様、操作パネル２のリブ２ｂがテーパ状に形成されていることによって、当接部９には、リブ２ｂから抜け出ようとする力が作用し、それにより、キートップ４が常にスイッチ基板３に押圧された状態になる。したがって、第１実施形態による上述した効果を同様に得ることができる。
【００２４】
なお、本発明は、説明した実施形態に限定されることなく、種々の態様で実施することができる。例えば、説明した実施形態は、本発明を電子ピアノに適用した例であるが、本発明は、その他の電子楽器、例えば電子オルガンなどに適用することが可能である。その他、本発明の趣旨の範囲内で、細部の構成を適宜、変更することが可能である。
【００２５】
【発明の効果】
以上のように、本発明の電子楽器のキートップスイッチによれば、操作パネルとキートップとの間のビリ付きによる雑音を防ぐとともに、低コストで製造することができるなどの効果を有する。
【図面の簡単な説明】
【図１】本発明の第１実施形態による電子楽器のキートップスイッチおよび操作パネルの部分正面図である。
【図２】操作パネルの部分正面図である。
【図３】図１の部分底面図である。
【図４】キートップの平面図である。
【図５】キートップの側面図である。
【図６】キートップの正面図である。
【図７】本発明の第２実施形態による電子楽器のキートップスイッチおよび操作パネルの部分正面図である。
【図８】本発明の第３実施形態による電子楽器のキートップスイッチおよび操作パネルの部分正面図である。
【図９】従来の電子楽器のキートップスイッチおよび操作パネルの部分正面図である。
【符号の説明】
１  キートップスイッチ
２  操作パネル
２ｂ  リブ
３  スイッチ基板
４  キートップ
９  当接部
９ａ 嵌合部
１０  弾性アーム部
２１  キートップスイッチ
３０  キートップスイッチ
【図１】
0003902485.tif 000002
【図２】
0003902485.tif 000003
【図３】
0003902485.tif 000004
【図４】
0003902485.tif 000005
【図５】
0003902485.tif 000006
【図６】
0003902485.tif 000007
【図７】
0003902485.tif 000008
【図８】
0003902485.tif 000009
【図９】
0003902485.tif 000010